(57)【要約】【課題】液体噴出器の容器の口部に対するロックを確実にして悪戯の防止を図るとともに内容部の補充を行うに当たっては治具等を使うことなく簡単に取り付け、取り外す。【解決手段】容器の口部に装着されるキャップと、このキャップに保持され押圧操作を繰り返して容器内の液体を吸引、加圧して外界に噴出させるポンプ機構を備えた噴出器において、前記キャップを、容器の口部に直接締めつけられて容器内を密閉する内キャップと、この内キャップに極僅かな間隔を隔てて覆いかぶさる外キャップとにて構成し、内キャップの上面壁部と外キャップの上面壁部の相互間に、外キャップを内キャップ上にて弾性支持し、かつ内キャップを外キャップとともに回転させてキャップの締め込みを可能とするが緩める向きに外キャップのみを空転させるラチェットと、外キャップの押し下げにてその上面壁部を内キャップの上面壁部に係合させて内キャップ及び外キャップを供回り可能に維持する係合手段を設ける。【選択図】        図１
2004344822.tif 000002
【特許請求の範囲】
【請求項１】
容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、この内キャップに極僅かな間隔を隔てて覆いかぶさる外キャップからなり、
内キャップの上面壁部と外キャップの上面壁部の相互間に、外キャップを内キャップ上にて弾性支持し、かつ内キャップを外キャップとともに回転させてキャップの締め込みを可能とするが緩める向きに外キャップのみを空転させるラチェットと、外キャップの押し下げにてその上面壁部を内キャップの上面壁部に係合させて内キャップ及び外キャップを供回り可能に維持する係合手段を設けたことを特徴とする液体噴出器。
【請求項２】
係合手段が、内キャップの上面壁部の表面又は外キャップの上面壁部の背面に設けられた少なくとも１つの凹部と、外キャップの上面壁部の背面または内キャップの上面壁部の表面に設けられ該凸部に嵌まり込む少なくとも１つの凸部からなる請求項１記載の液体噴出器。
【発明の詳細な説明】
【０００１】
【発明の属する技術分野】
本発明は、容器の口部にねじ止め保持され押圧ヘッドのプライミングによって容器内に充填された液体を適量取り出すのに適した液体噴出器に関するものであり、とくに、該噴出器の容器の口部に対するロックを確実に行うことにより、内容物の入れ換えや抜き取り等の悪戯を未然に防止しようとするものである。
【０００２】
【従来の技術】
シャンプーやリンス、整髪剤等を充填した据え置きタイプの大型容器は、使用の度に内容物を適量取り出すことができるポンプタイプの噴出器が備えられている。
【０００３】
この種の噴出器はポンプ機構を保持するとともに容器の口部を確実に密閉でき、かつ、内容物を補充するに際してはそれを簡単に取り外すことができるようにねじ止め形式のキャップが備えられた構造になっているのが普通である。
【０００４】
ところで、このような噴出器は、簡単に取り外すことができるが故に、例えば店頭に陳列した商品やホテル等の洗面所等に据え置かれた容器に対しては内容物が入れ換えられたり、抜き取られる悪戯が起きることが懸念されており、この点に関する改善が求められていた。
【０００５】
このような問題に対処した先行技術としては、噴出器とは別個の治具を用意しておき、内容物を補充するに当たっては該治具を使用して噴出器を取り外す構造のものが提案されている（例えば、特許文献１、特許文献２参照）。
【０００６】
【特許文献１】
実公平７−１８６１１号公報
【０００７】
【特許文献２】
２００２−２２５９０６号公報
【０００８】
しかしながら、上記のような液体噴出器は、それを取り外すための治具を別途用意しておく必要があることから、取り付け、取り外し作業に手間がかかるうえ、治具を紛失してしまった場合には、液体の補充が不可能になってしまうおそれがあった。
【０００９】
【発明が解決しようとする課題】
本発明の課題は、液体噴出器の容器の口部に対するロックを確実にして悪戯の防止を図るとともに、内容物を補充するに際しては治具等を使用することなしに簡単な操作でもって取り外すことができる新規な噴出器を提案するところにある。
【００１０】
【課題を解決するための手段】
本発明は、容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、この内キャップに極僅かな間隔を隔てて覆いかぶさる外キャップからなり、
内キャップの上面壁部と外キャップの上面壁部の相互間に、外キャップを内キャップ上にて弾性支持し、かつ内キャップを外キャップとともに回転させてキャップの締め込みを可能とするが緩める向きに外キャップのみを空転させるラチェットと、外キャップの押し下げにてその上面壁部を内キャップの上面壁部に係合させて内キャップ及び外キャップを供回り可能に維持する係合手段を設けたことを特徴とする液体噴出器である。
【００１１】
上記の構成になる液体噴出器において係合手段は、内キャップの上面壁部の表面又は外キャップの上面壁部の背面に設けられた少なくとも１つの凹部と、外キャップの上面壁部の背面または内キャップの上面壁部の表面に設けられ該凸部に嵌まり込む少なくとも１つの凸部からなるものが好ましい。
【００１２】
【発明の実施の形態】
以下、図面を用いて本発明をより具体的に説明する。
【００１３】
図１（ａ）〜（ｃ）は本発明に従う液体噴出器の実施の形態を示したものであり、図における１は内容物を充填する容器、２は容器１の口部１ａにねじ止めによって固定保持される例で示したキャップ、３はキャップ２に保持されるポンプ機構であって、このポンプ機構３は押圧ヘッド３ａを繰返し押圧することで容器１内の液体を吸引、加圧してノズル３ｂより噴出させることができるようになっている。
【００１４】
上記キャップ２は、容器１の口部１ａに直接締めつけられて容器１内を密閉する内キャップ２ａと、この内キャップ２ａに極僅かな間隔を隔てて覆い被さる外キャップ２ｂからなっており、その相互間には係合手段４が設けられている。
【００１５】
この係合手段４は外キャップ２ｂの押し下げにてその上面壁部２ｂ１を内キャップ２ａの上面壁部２ａ１に係合させて内キャップ２ａ及び外キャップ２ｂを供回り可能に維持する例えば図１（ｂ）のＡ−Ａ断面に示す如き凹部４ａとこの凹部４ａに嵌まり込む凸部４ｂにて構成される（凹凸の配置は逆転配置であってもよい）。なお、凹部４ａと凸部４ｂの数はそれぞれ少くとも１つ以上設けられていればよいが、何れか一方を環状に間隔を狭めて均等間隔で設けておけば、外キャップ２ｂを位置合わせを行うことなくどの位置で押し下げても内キャップ２ａとの嵌合が可能となり、取り付けおよび取り外し作業が容易となる。
【００１６】
また、５は外キャップ２ｂを内キャップ２ａの上にて弾性支持し、かつ内キャップ２ａを外キャップ２ｂとともに回転させてキャップ２の締め込みを可能とするが、緩める向きに外キャップ２ｂのみを空転させるラチェットであり、このラチェット５は例えば図１（ｃ）のＢ−Ｂ断面に示すように、内キャップ２ａの上面壁部２ａ１に設けられた複数の傾斜付き段差ｔとこの段差に一方向においてのみ係合して弾性支持する弾性片ｔ１にて構成される（傾斜付き段差ｔと弾性片ｔ１の配置を上下逆転配置してもよい）。
【００１７】
上掲図１（ａ）に示すような状態においては、外キャップ２ｂはラチェット５を構成する弾性片ｔ１にて内キャップ２ａの上面壁部２ａ１にて弾性支持されており、キャップ２を締め込む向きには内キャップ２ａを外キャップ２ｂとともに供回りさせることができるが、キャップ２を緩める向きに回転させた場合には外キャップ２ｂが空回りすることとなり噴出器を取り外すことはできない。
【００１８】
一方、図２（ａ）（ｂ）に示す矢印の如く、外キャップ２ｂを押し下げてその上面壁部２ｂ１の凹部４ａに内キャップ２ａの上面壁部２ａ１の凸部４ｂを嵌め込むことで内キャップ２ａと外キャップ２ｂを供回りさせて噴出器の取り付け、取り外しを可能とする。
【００１９】
【発明の効果】
本発明によれば、サイズの大型化を招くような余計な部材を必要とせずに噴出器を容器の口部にロック状態で装着することができるため内容物の入れ換えや抜き取り等の悪戯を未然に防止することが可能であり安全性が高い。
【００２０】
また、余計な治具を必要とせずに簡便な操作のもとで噴出器の取り付け、取り外しができる。
【図面の簡単な説明】
【図１】（ａ）〜（ｃ）は本発明に従う液体噴出器の実施の形態を示した図である。
【図２】（ａ）、（ｂ）はキャップの緩め方の要領を説明した図である。
【符号の説明】
１  容器
１ａ  口部
２  キャップ
２ａ  内キャップ
２ａ１  上面壁部
２ｂ  外キャップ
２ｂ１  上面壁部
３  ポンプ機構
３ａ  押圧ヘッド
３ｂ  ノズル
４  係合手段
４ａ  凹部
４ｂ  凸部
５  ラチェット
ｔ  段差
ｔ１  弾性片
【図１】
2004344822.tif 000003
【図２】
2004344822.tif 000004